(57)【要約】ゲルマトリックス内に位置する低温又は高温において固体から液体に相を変化させる相変化材料を使用した衣料。相変化材料は、手術処置後に腫脹、浮腫及び挫傷を軽減するために使用してもよい。ゲルマトリックスは、本発明の材料が室温において適合可能な弾性形態を維持することを可能にする。本発明は、新規性な様々な幾何学の表面又は体積に適合可能な低温又は高温相変化材料を提供する。【選択図】図１
2021521906.tif 000002
【特許請求の範囲】
【請求項１】
熱成形可能なリテーナー層、Ｒ；
スチレン系トリブロックコポリマー；
相変化材料；
可塑化用オイル；
をさらに含有する熱可塑性エラストマーゲルマトリックス層、Ｇ、及び
固定している生地層、Ｆ；
を含有する、体構造（ａｎａｔｏｍｉｃａｌ）面のトリートメントのための衣料であって、
前記衣料が、前記トリートメント用衣料が前記表面の輪郭に適合するように形作ることができるように、前記熱成形可能なリテーナー層の転移温度まで加熱されるように設計され；
前記衣料がコンポジットに形成される、衣料。
【請求項２】
前記トリブロックコポリマーが２〜３０重量％の間の量で存在する、請求項１に記載の衣料。
【請求項３】
前記相変化材料が、４５℃〜６５℃の間の相変化温度を有し、パラフィン、２４〜３０の炭素数を有する直鎖状アルファオレフィン、脂溶性アルコール、脂溶性エステル、水素化植物オイル、及び非水素化植物オイルから成る群から選択される、請求項１に記載の衣料。
【請求項４】
前記相変化材料が２０〜７０重量％の間の量で存在する、請求項３に記載の衣料。
【請求項５】
前記可塑化用オイルが３０〜８０重量％の間の量で存在し、室温において液体である鉱物オイル、室温において液体である植物オイル、室温において液体であるノルマルアルファオレフィン、室温において液体である炭化水素混合物、及び室温において液体である合成オイルから本質的に成る群から選択される、請求項３に記載の衣料。
【請求項６】
前記可塑化用オイルが５０〜３００センチストークスの間の粘度を有する、請求項３に記載の衣料。
【請求項７】
前記熱可塑性エラストマーのゲルマトリックス層が、０〜１０重量％の間の量の脂溶性添加剤をさらに含有する、請求項３に記載の衣料。
【請求項８】
前記相変化材料が、−１０℃〜２０℃の間の相変化温度を有し、Ｎ−アルカン、Ｎ−アルケン、１４〜１８の炭素数を有する直鎖状アルファオレフィン、脂溶性アルコール、脂溶性エステル、及び植物オイルから成る群から選択される、請求項１に記載の衣料。
【請求項９】
前記可塑化用オイルが０〜７０重量％の間の量で存在し、室温において液体である鉱物オイル、室温において液体である植物オイル、室温において液体であるノルマルアルファオレフィン、室温において液体である炭化水素混合物、及び室温において液体である合成オイルから本質的に成る群から選択される、請求項８に記載の衣料。
【請求項１０】
前記可塑化用オイルが５０〜３００センチストークスの間の粘度を有する、請求項８に記載の衣料。
【請求項１１】
前記熱可塑性エラストマーのゲルマトリックス層が、０〜１０重量％の間の量の脂溶性添加剤をさらに含有する、請求項８に記載の衣料。
【請求項１２】
前記コンポジットが構造化されたＦＲＧである、請求項１に記載の衣料。
【請求項１３】
前記コンポジットが構造化されたＦＲＦＧ構造である、請求項１に記載の衣料。
【請求項１４】
前記リテーナーが、摂氏６０度又はそれ未満の温度において熱成形することができるポリマーを含有する、請求項１に記載の衣料。
【請求項１５】
前記リテーナーがエチル酢酸ビニルを含有する、請求項１２に記載の衣料。
【請求項１６】
前記リテーナーがポリカプロラクトンを含有する、請求項１２に記載の衣料。
【請求項１７】
前記スチレン系トリブロックコポリマーが、ポリ（スチレン−ブタジエン−スチレン）、ポリ（スチレンイソプレン−スチレン）、ポリ（スチレン−イソプレン−ブタジエン−スチレン）、ポリ（スチレンエチレン−ブチレン−スチレン）、ポリ（スチレン−エチレン−プロピレン−スチレン）、又はポリ（スチレン−エチレン−エチレン−プロピレン−スチレン）の１種以上の選択された量である、請求項１に記載の衣料。
【請求項１８】
スチレン系トリブロックコポリマー；
アルカン；
相変化材料；及び
可塑剤；
を含有する熱可塑性エラストマーゲル層、Ｇ：
生地層、Ｆ；
を含有する、生物表面のトリートメントのための衣料であって、
前記衣料がコンポジット、ＦＧに形成される、衣料。
【請求項１９】
前記トリブロックコポリマーが２〜３０重量％の量の間で存在する、請求項１８に記載の衣料。
【請求項２０】
前記相変化材料が、４５℃〜６５℃の間の相変化温度を有し、パラフィン、２４〜３０の炭素数を有する直鎖状アルファオレフィン、脂溶性アルコール、脂溶性エステル、水素化植物オイル、及び非水素化植物オイルから成る群から選択される、請求項１８に記載の衣料。
【請求項２１】
前記相変化材料が２０〜７０重量％の間の量で存在する、請求項２０に記載の衣料。
【請求項２２】
前記可塑化用オイルが３０〜８０重量％の間の量で存在し、室温において液体である鉱物オイル、室温において液体である植物オイル、室温において液体であるノルマルアルファオレフィン、室温において液体である炭化水素混合物、及び室温において液体である合成オイルから本質的に成る群から選択される、請求項２０に記載の衣料。
【請求項２３】
前記可塑化用オイルが５０〜３００センチストークスの間の粘度を有する、請求項２０に記載の衣料。
【請求項２４】
前記熱可塑性エラストマーゲル層が、０〜１０重量％の間の量の脂溶性添加剤をさらに含有する、請求項１８に記載の衣料。
【請求項２５】
前記相変化材料が、−１０℃〜２０℃の間の相変化温度を有し、Ｎ−アルカン、Ｎ−アルケン、１４〜１８の炭素数を有する直鎖状アルファオレフィン、脂溶性アルコール、脂溶性エステル、及び植物オイルから成る群から選択される、請求項１８に記載の衣料。
【請求項２６】
前記可塑化用オイルが０〜７０重量％の間の量で存在し、室温において液体である鉱物オイル、室温において液体である植物オイル、室温において液体であるノルマルアルファオレフィン、室温において液体である炭化水素混合物、及び室温において液体である合成オイルから本質的に成る群から選択される、請求項２５に記載の衣料。
【請求項２７】
コンポジットＦＲＧを形成する生地層と熱可塑性エラストマーゲル層との間に含まれる熱成形可能なリテーナー層、Ｒをさらに含有する、請求項１８に記載の衣料。
【請求項２８】
前記熱成形可能なリテーナー層が、摂氏６０度又はそれ未満の温度において成形することができるポリマーを含有する、請求項２７に記載の衣料。
【請求項２９】
前記ポリマーがエチル酢酸ビニルを含有する、請求項２８に記載の衣料。
【請求項３０】
前記ポリマーがポリカプロラクトンを含有する、請求項２８に記載の衣料。
【請求項３１】
前記トリブロックコポリマーが、ポリ（スチレン−ブタジエン−スチレン）、ポリ（スチレン−イソプレン−スチレン）、ポリ（スチレン−イソプレン−ブタジエン−スチレン）、ポリ（スチレン−エチレン−ブチレンスチレン）、ポリ（スチレン−エチレン−プロピレン−スチレン）、又はポリ（スチレン−エチレンエチレン−プロピレンス−チレン）の１種以上の選択された量である、請求項１８に記載の衣料。
【請求項３２】
前記トリブロックコポリマーがポリ（スチレン−ブタジエン−スチレン）、ポリ（スチレン−イソプレン−スチレン）、ポリ（スチレン−イソプレン−ブタジエン−スチレン）、ポリ（スチレン−エチレン−ブチレン−スチレン）、ポリ（スチレン−エチレン−プロピレン−スチレン）、またはポリスチレン−エチレン−エチレン−プロピレン−スチレン）の１種以上の選択された量であるスチレン系トリブロックコポリマー；
相変化材料；及び
可塑化用オイル
をさらに含有する熱可塑性エラストマーゲルマトリックス：
を含有する生物表面のトリートメントのための衣料。
【請求項３３】
前記トリブロックコポリマーが２〜３０重量％の間の量で存在する、請求項３２に記載の衣料。
【請求項３４】
前記相変化材料が、４５℃〜６５℃の間の相変化温度を有し、パラフィン、２４〜３０の炭素数を有する直鎖状アルファオレフィン、脂溶性アルコール、脂溶性エステル、水素化植物オイル、及び非水素化植物オイルから成る群から選択される、請求項３２に記載の衣料。
【請求項３５】
前記相変化材料が２０〜７０重量％の間の量で存在する、請求項３４に記載の衣料。
【請求項３６】
前記可塑化用オイル及びが３０〜８０重量％の間の量で存在し、室温において液体である鉱物オイル、室温において液体である植物オイル、室温において液体であるノルマルアルファオレフィン、室温において液体である炭化水素混合物、及び室温において液体である合成オイルから本質的に成る群から選択される、請求項３４に記載の衣料。
【請求項３７】
前記可塑化用オイルが５０〜３００センチストークスの間の粘度を有する、請求項３４に記載の衣料。
【請求項３８】
前記熱可塑性エラストマーのゲルマトリックスが、０〜１０重量％の間の量の脂溶性添加剤をさらに含有する、請求項３４に記載の衣料。
【請求項３９】
前記相変化材料が、−１０℃〜２０℃の間の相変化温度を有し、Ｎ−アルカン、Ｎ−アルケン、１４〜１８の炭素数を有する直鎖状アルファオレフィン、脂溶性アルコール、脂溶性エステル、及び植物オイルから成る群から選択される、請求項３２に記載の衣料。
【請求項４０】
前記可塑化用オイルが０〜７０重量％の間の量で存在し、室温において液体である鉱物オイル、室温において液体である植物オイル、室温において液体であるノルマルアルファオレフィン、室温において液体である炭化水素混合物、及び室温において液体である合成オイルから本質的に成る群から選択される、請求項３９に記載の衣料。
【請求項４１】
前記可塑化用オイルが５０〜３００センチストークスの間の粘度を有する、請求項３９に記載の衣料。
【請求項４２】
前記熱可塑性エラストマーゲルマトリックスが、０〜１０重量％の間の量の脂溶性添加剤をさらに含有する、請求項３９に記載の衣料。
【請求項４３】
前記熱可塑性エラストマーゲル、Ｇに取り付けられ、コンポジットＲＧを形成する熱成形可能なリテーナー層、Ｒをさらに含有する、請求項３９に記載の衣料。
【請求項４４】
前記熱成形可能なリテーナー層が、摂氏６０度又はそれ未満の温度において熱成形することができるポリマーを含有する、請求項４３に記載の衣料。
【請求項４５】
前記リテーナーがエチル酢酸ビニルを含有する、請求項４４に記載の衣料。
【請求項４６】
前記リテーナーがポリカプロラクトンを含有する、請求項４４に記載の衣料。
【請求項４７】
前記熱可塑性エラストマーゲル、Ｇに取り付けられ、コンポジットＦＧを形成する生地層Ｆをさらに含有する、請求項３２に記載の衣料。
【請求項４８】
コンポジットＦＲＧを形成する熱成形可能なリテーナー層に取り付けられた生地層Ｆをさらに含有する、請求項４４に記載の衣料。
【請求項４９】
熱成形可能なリテーナー層、Ｒ；
スチレン系トリブロックコポリマー；
相変化材料；
可塑化用オイル；
をさらに含有する熱可塑性エラストマーゲルマトリックス層、Ｇ：及び
固定している生地層、Ｆ；
をさらに含有する衣料を準備すること：
を含有する、傷のトリートメント又は化粧用ケアを補助するために、衣料を使用者に適用する方法であって、
前記衣料は、前記衣料が、表面の輪郭に適合するように形作ることができるように前記熱成形可能なリテーナーの転移温度に達するように加熱されるように設計され；
前記熱成形可能なリテーナーが転移温度に達するようにトリートメント用衣料を加熱し；
前記トリートメント用衣料を前記表面に適用し；及び
前記衣料を前記表面に固定する、方法。
【請求項５０】
前記トリブロックコポリマーが２〜３０重量％の間の量で存在する、請求項４９に記載の方法。
【請求項５１】
前記相変化材料が、４５℃〜６５℃の間の相変化温度を有し、パラフィン、２４〜３０の炭素数を有する直鎖状アルファオレフィン、脂溶性アルコール、脂溶性エステル、水素化植物オイル、及び非水素化植物オイルから成る群から選択される、請求項４９に記載の方法。
【請求項５２】
前記相変化材料が２０〜７０重量％の間の量で存在する、請求項５１に記載の方法。
【請求項５３】
前記可塑化用オイルが３０〜８０重量％の間の量で存在し、室温において液体である鉱物オイル、室温において液体である植物オイル、室温において液体であるノルマルアルファオレフィン、及び室温において液体である炭化水素混合物、及び室温において液体である合成オイルから本質的に成る群から選択される、請求項５１に記載の方法。
【請求項５４】
前記可塑化用オイルが５０〜３００センチストークスの間の粘度を有する、請求項５１に記載の衣料。
【請求項５５】
前記熱可塑性エラストマーのゲルマトリックス層が、０〜１０重量％の間の量の脂溶性添加剤をさらに含有する、請求項５１に記載の方法。
【請求項５６】
前記相変化材料が、−１０℃〜２０℃の間の相変化温度を有し、Ｎ−アルカン、Ｎ−アルケン、１４〜１８の炭素数を有する直鎖状アルファオレフィン、脂溶性アルコール、脂溶性エステル、及び植物オイルから成る群から選択される、請求項４９に記載の方法。
【請求項５７】
前記可塑化用オイルが、０〜７０重量％の間の量で存在し、室温において液体である鉱物オイル、室温において液体である植物オイル、室温において液体であるノルマルアルファオレフィン、室温において液体である炭化水素混合物、及び室温において液体である合成オイルから本質的に成る群から選択される、請求項５６に記載の方法。
【請求項５８】
前記可塑化用オイルが５０〜３００センチストークスの間の粘度を有する、請求項５７に記載の衣料。
【請求項５９】
前記熱可塑性エラストマーのゲルマトリックス層が、０〜１０重量％の間の量の脂溶性添加剤をさらに含有する、請求項５７に記載の方法。
【請求項６０】
前記衣料を前記表面に固定した後に前記衣料を冷却することを可能にし、前記衣料の温度を−１０℃から２０℃の間に低下させ、次いで前記衣料を前記表面に再固定する工程をさらに含有する、請求項５７に記載の方法。
【請求項６１】
前記熱成形可能なリテーナー層が、６０℃又はそれ未満の温度において熱成形することができるポリマーを含有する、請求項５７に記載の方法。
【請求項６２】
前記リテーナーがエチル酢酸ビニルを含有する、請求項６１に記載の方法。
【請求項６３】
前記リテーナーがポリカプロラクトンを含有する、請求項６１に記載の方法。
【請求項６４】
前記コンポジットが構造化されたＦＲＧを有する、請求項５７に記載の方法。
【請求項６５】
前記コンポジットが構造化されたＦＲＦＧを有する、請求項５７に記載の方法。
【請求項６６】
前記トリブロックコポリマーが、ポリ（スチレン−ブタジエン−スチレン）、ポリ（スチレン−イソプレン−スチレン）、ポリ（スチレン−イソプレン−ブタジエン−スチレン）、ポリ（スチレン−エチレン−ブチレンスチレン）、ポリ（スチレン−エチレン−プロピレン−スチレン）、又はポリ（スチレン−エチレンエチレン−プロピレン−スチレン）の１種以上の選択された量である、請求項５７に記載の方法。
【発明の詳細な説明】
【技術分野】
【０００１】
＜関連出願の相互参照＞
本出願は、２０１７年７月２１日に提出された「温熱療法及び活性成分の送達のための相変化材料（Ｐｈａｓｅ  Ｃｈａｎｇｅ  Ｍａｔｅｒｉａｌ  ｆｏｒ  Ｔｈｅｒｍａｌ  Ｔｈｅｒａｐｙ  ａｎｄ  Ｄｅｌｉｖｅｒｙ  ｏｆ  Ａｃｔｉｖｅ  Ｉｎｇｒｅｄｉｅｎｔｓ）」という名称の出願番号第１５／６５６，５６４号の一部継続出願であって、２０１６年７月２１日に出願された米国仮特許第６２／３６４，９９８号に対する優先権を主張し、２０１５年１月２２日に出願された米国出願第１４／６０２，８９３号の一部継続出願であって、２０１４年８月２２日に出願された米国仮特許出願第６２／０４０，７７１号、２０１４年９月１７日に出願された米国仮特許出願第６２／０５１，８４７号、及び２０１４年１０月１０日に出願された米国仮特許出願第６２／０６２，３７２号に対する優先権を主張する。本出願はまた、２０１８年４月１６日に出願された係属中の「腫脹、浮腫、及び挫傷の軽減ための相変化材料（Ｐｈａｓｅ  Ｃｈａｎｇｅ  Ｍａｔｅｒｉａｌ  ｆｏｒ  Ｒｅｄｕｃｔｉｏｎ  ｏｆ  Ｓｗｅｌｌｉｎｇ，  Ｅｄｅｍａ，  ａｎｄ  Ｂｒｕｉｓｉｎｇ）」という名称の仮出願番号６２／６５８，０５９号に対する優先権を主張する。本出願はまた、２０１８年６月１４日に出願された「フェイスマスクのための熱成形可能なリテーナー（Ｔｈｅｒｍｏｆｏｒｍａｂｌｅ  Ｒｅｔａｉｎｅｒ  ｆｏｒ  Ｆａｃｅｍａｓｋｓ）」という名称の米国出願第１６／００８，２８５号に対する優先権を主張し、２０１８年１月２２日に出願された米国仮特許出願第６２／６１９，９３６号に対する優先権を主張する。上に挙げられた出願の各内容は、その全体が参照により本明細書に組み込まれる。
【背景技術】
【０００２】
＜発明の分野＞
本発明は、相変化材料（「ＰＣＭ」）に関する。より具体的には、本発明は、要すれば熱成形可能なリテーナー（ｒｅｔａｉｎｅｒ）を包含し得る衣料に組み込まれる、様々な温度において固体から液体に相を変化させる、エラストマーのマトリックス内に組み込まれるＰＣＭに関する。
【０００３】
＜背景技術の説明＞
相変化材料は、水溶性塩又はポリエチレングリコールから成ることが一般的である。これらの相変化材料には、注目すべき３つの欠点がある。第１に、それらは、低温又は水の融解温度、０℃の周囲において液体になる。その結果、材料は自己完結型ではなくなる。この不備を克服するために、材料は、しばしば、容器、バッグ又は同様の不浸透性構造体に包含される。不浸透性構造体の結果として、熱交換体間のバリアにより熱交換特性が変化する。さらに、不浸透性構造体は、不均一な表面に適合する相変化材料の能力を制限する。第２に、記載した水系の相変化材料は、高い熱伝導率を示し、それは、熱の伝達を促進する結果になる。生体、組織などに関連する場合には、これは損傷又は早すぎる期限切れ（ｐｒｅｍａｔｕｒｅ  ｅｘｐｉｒａｔｉｏｎ）という結果になる。最後に、水溶性塩相変化材料の多くは、生体、組織などとの接触にとって安全ではない。したがって、不浸透性構造体は、パンクの可能性又は熱交換が起こるよう意図された身体への露出を最小限にするように設計されなければならない。
【０００４】
約−１０℃から２０℃の間、又は約４５℃から６５℃の間の温度において、液体から固体に相を変化させる脂溶性材料を、好ましい使用に応じてエラストマーのマトリックスに溶解することは、使用者の皮膚に有益な効果を示すことが測定されている。これらの材料の使用は低温の貯蔵物として機能し、一定の温度を長期間維持し、マスク、冷湿布、及び氷パックなどの物品にとって有用である。この機能は、一定割合及び一定温度において熱又は冷気を除去又は適用するのに役立つ。さらに、本明細書に記載される混合物は、材料によって示される遅い熱伝達のために、より快適な使用者体験のための低い熱伝導率を示す。さらに、マトリックスのエラストマーの性質は、材料が、それが置かれるいずれかの表面の輪郭に厳密に従うことを可能にする。
【０００５】
したがって、本発明の目的は、上記の従来技術のデバイスの不備を克服する改良を提供し、相変化材料の進歩に大きく寄与する改良を提供することである。
【０００６】
本発明のさらなる目的は、使用者の皮膚の表皮及び真皮に薬剤、保湿剤、クリームなどの送達のためにエラストマーのマトリックスに組み込まれたＰＣＭを提供することである。
【０００７】
本発明のさらなる目的は、ＰＣＭを組み込んだ衣料を提供することである。
【０００８】
本発明のさらなる目的は、使用者が皮膚につけるのに快適な、ＰＣＭを使用するセラピー上有効な衣料を提供することである。
【０００９】
本発明のさらなる目的は、脂質の相変化温度を十分に上回る温度範囲の間、柔軟で弾性のある形態を維持することである。
【００１０】
本発明のさらなる目的は、様々な幾何学の表面又は体積に適合可能な低温相変化材料を提供することである。
【００１１】
本発明のさらなる目的は、バッグのような不浸透性バリアを必要としない衣料を提供することである。
【００１２】
本発明のさらなる目的は、水又はグリコール系配合物によって示されるものより低い熱伝導率を示すことである。
【００１３】
本発明のさらなる目的は、顔面外傷をトリートメントするために使用することができる衣料、並びにサロン及びスパのような施設におけるケミカルピール（ｃｈｅｍｉｃａｌ  ｐｅｅｌｓ）及び皮膚切除術（ｄｅｒｍａｂｒａｓｉｏｎ）及びセラピーのトリートメントのような皮膚科学的な処置を提供することである。
【００１４】
本発明のさらなる目的は、化粧用の目的のために使用することができる相変化材料を使用する衣料を提供することである。
【００１５】
以上に、本発明の関連する目的のいくつかを概説した。これらの目的は、意図された発明のより顕著な特徴及び用途のいくつかを単に例示するものと解釈されるべきである。開示された発明を異なる様式において適用するか、又は開示の範囲内で発明を修正することによって、多くの他の有益な結果を達成することができる。したがって、添付の図面に併せて引用された特許請求の範囲によって定義される発明の範囲に加えて、本発明の概要及び好ましい実施形態の詳細な説明を参照することによって、本発明の他の目的及びより完全な理解を得ることができる。
【発明の概要】
【発明が解決しようとする課題】
【００１６】
本発明を要約する目的のために、本発明は、脂質及び関連したオレフィンを含有する、相変化材料を開示し、これらはエラストマーのマトリックス内に位置し、低温において固体から液体へ相を変化させる。
【課題を解決するための手段】
【００１７】
本発明は、上記の不備を克服し、記載された熱力学的実例に対する新たな解決策を提供する。本発明は、熱可塑性マトリックスを利用する。好ましくは、本発明は、スチレン系であるトリブロックコポリマーを利用する。熱可塑性エラストマー内には、低温において固体から液体に相を変化させる脂質又は１種以上のリガンドの組み合わせ又は会合体である相変化材料がある。相変化材料は、−１０℃〜２５℃、好ましくは０℃〜２０℃の間の温度範囲において相を変化させる。あるいは、より高温のための相変化材料は、４５℃〜６５℃の相変化温度範囲をもつパラフィン又は直鎖状アルファオレフィンを含有する。
【００１８】
オイル又は他の可塑剤（ｐｌａｓｔｉｃｉｚｉｎｇ  ａｇｅｎｔ）は、塑性剤（ｐｌａｓｔｉｃｉｚｅｒ）としても本明細書を参照され、得られる材料の弾性、柔軟性、硬度、熱伝導率、伸長性、引裂強度及び引張強度特性などの所望の機械的性能を得るために、トリブロックコポリマーに加えることができる。オイルは、好ましくは、１４〜１８の間の炭素数を有するノルマル（ｎｏｒｍａｌ）アルファオレフィンであるが、使用される材料が室温において液体である限り、鉱物オイル、植物オイル、及び他の炭化水素混合物であってもよい。オイルは、所望のマスク温度に応じて、０から７０％重量、又は３０から８０％重量の範囲において加えられてもよい。
【００１９】
相変化脂質又は材料は、Ｎ−アルケン又はＮ−アルカンのような炭化水素タイプである。適用可能な例は、ドデセン、トリデセン、テトラデセンなど、又はシェブロンフィリップス（Ｃｈｅｖｒｏｎ  Ｐｈｉｌｉｐｓ）及びイオネス（Ｉｎｅｏｓ）によって市販されているような８から１８の間の範囲にわたる炭素数をもつ直鎖状アルファオレフィンである。ある実施形態において、相変化脂質及び／又は材料は、１４炭素の分子を有し、第１の炭素上の二重結合を利用する、テトラデセンで構成される。本発明では、ＰＣＭのために３９°Ｆの融点を有するｎ−ヘキサデセンを好ましくは、使用するが、適切な蒸気圧をもち、適切な融点範囲内のいずれかの炭素鎖で十分であることが分かった。さらに、−１０℃〜２５℃の間、好ましくは０℃〜２０℃の間の相変化温度を有する他の炭化水素、アルコール、エステル又は植物オイルを使用してもよい。記載された相変化材料のいずれも、皮膚上で使用することが安全である限り、本明細書に記載されたマトリックス内で、互いに組み合わせて、又は個別に使用してもよい。
【００２０】
酸化防止剤、及び抗菌剤、及び／又は他の添加剤のような添加剤を０〜１０重量％の範囲において加えてもよい。酸化防止剤は、フェノール系酸化防止剤を含んでもよい。ある実施形態において、開示された相変化材料は、スチレン系ポリマー、可塑化用オイル、脂質、及び１種以上の添加剤を一緒に混合し、１５０℃〜２３０℃の温度において不活性環境中で溶融される混合物を形成することによって製造してもよい。均一な溶融混合物が得られた後、混合物は、押出機によって押出されても、成形機を用いて密閉鋳型（ｃｌｏｓｅｄ  ｍｏｌｄ）に成形されても、開放鋳型（ｏｐｅｎ  ｍｏｌｄ）又は他の同様の加熱容器に鋳造されて所望の形状にされてもよい。
【００２１】
ある実施形態において、開示された相変化材料は、使用者と接触する目的のために使用される生地、構造、衣料、又はいずれかの同等物の内部又は上に配置されるように設計されてもよい。生地、構造、衣料、又はいずれかの同等物は、ストラップ、紐、ベルクロ（登録商標）、磁石、リベット、又はいずれかの同等の固定手段のような面ファスナーの方法によって使用者に固定されてもよい。また、固定手段は、材料をバッグ、タオル、紙布、又はいずれかの同等物などのもう１つの材料内に位置することを可能にする技術を含んでもよく、これは、次いで、使用者にまとめて固定されるか、又は導入される。例えば、使用者は、本材料を湿ったタオルの中に置き、それが彼女の足の上に載せるように置かれてもよい。さらに、開示された本発明の固定は、特に材料が使用者の幾何学又は寸法に適合するように設計される場合には、このような固定手段なしで達成されてもよい。
【００２２】
ある実施形態において、本発明は、使用者の顔、頭、首、上半身又は下半身、足、脚、又は腕、又はこれらのいずれかの組み合わせを形成するように設計されてもよい。本発明を使用するための使用者の特定の要求は、その幾何学的形状を規定する。
【００２３】
ある実施形態において、本発明は、熱成形可能な樹脂層上に配置されるように設計されてもよく、これは、編まれた又は織られた外部の層に対して取り付けるように設計されてもよい。あるいは、編まれた外部の層は、もう１つの編まれた層、熱成形可能な樹脂層、又はいずれかの同等物に対して取り付けるように設計されてもよい。あるいは、熱成形可能な樹脂層は、本発明の複数の実施形態並びに複数の編まれた層に対して取り付けられてもよい。
【００２４】
別の態様において、上述の添加剤の１種以上を、混合物が融解した後又は冷却プロセス中に混合物に加えてもよい。スチレン系ポリマー、可塑化用オイル、及び１種以上の任意の添加剤の混合物を加熱して混合した後、これらのコンポーネントを均一な溶融混合物が得られるような様式で一緒に溶融する。溶融混合物を得た後、溶融混合物は、押出機によって押出されても、成形機又は他の同様の加熱容器によって所望の形状に成形されてもよい。
【００２５】
本発明の実施形態は、本明細書において実施例の方法により記載され、所望の温度において固体から液体に相を変化させる脂質をもつエラストマーのマトリックスを利用する相変化材料に向けられる。相変化材料の技術の上記の状態は、１）自己完結型であり得る、２）低い熱伝導率を有し得る、３）生体と接触する場合に安全であり得る、及び４）一定温度において表面から熱を除去することができる又は表面に熱を提供することができる、相変化材料における改良のための必要性を示す。
【００２６】
以下の本発明の詳細な説明がより理解され、本技術分野への本貢献がより完全に認識することができるようにするために、上記では、本発明のより適切で重要な特徴をかなり広く概説した。本発明の請求の範囲の主題を形成する本発明の追加の特徴を以下に説明する。開示された概念及び特定の実施形態は、本発明の同じ目的を実行するために他の構造を修正又は設計するための基礎として容易に利用し得ることが当業者により認識されるべきである。当業者であれば、このような同等の構造が、添付された特許請求の範囲に記載されている本発明の精神及び範囲から逸脱しないことも理解されるべきである。
【図面の簡単な説明】
【００２７】
本開示及びその利点のより完全な理解のために、以下の説明についての参照は、ここで添付の図面と組み合わせてなされる。
【００２８】
【図１】図１は、例えば、顔面外傷を有する使用者によって要求されるように、又はケミカルピール又は皮膚切除術又は化粧用の顔のトリートメント後のセラピーの補助として、手術後のトリートメント用衣料に組み込まれた相変化材料の正面図を描写する；
【００２９】
【図２】図２は、顔面外傷を有する使用者によって要求されるように、例えば、手術後のトリートメント用衣料に組み込まれた相変化材料内に含まれる層の断面図を描写する；
【００３０】
【図３】図３は、顔面外傷を有する使用者によって要求されるように、例えば、手術後のトリートメント用衣料に組み込まれた相変化材料内に含まれる層の分解立体図を描写する；
【００３１】
【図４】図４は、顔面外傷を有する使用者によって要求されるように、例えば、手術後のトリートメント用衣料に組み込まれた相変化材料の背面図を描写する；
【００３２】
【図５】顔面外傷を有する使用者によって要求されるように、例えば、手術後のトリートメント用衣料に組み込まれた相変化材料の正面図を描写する；
【００３３】
【図６】図６は、顔面外傷を有する使用者によって要求されるように、例えば、手術後のトリートメント用衣料に組み込まれた相変化材料の正面図を描写する；
【００３４】
【図７】図７は、顔面外傷を有する使用者によって要求されるように、例えば、手術後のトリートメント用衣料に組み込まれた相変化材料の背面図を描写する；
【００３５】
【図８】図８は、顔面外傷を有する使用者によって要求されるように、例えば、手術後のトリートメント用衣料に組み込まれた相変化材料の正面図を描写する；
【００３６】
【図９（ａ）−９（ｂ）】図９（ａ）及び９（ｂ）は、顔面外傷を有する使用者によって要求されるように、例えば、手術後のトリートメント用衣料に組み込まれた相変化材料の複数の側面図を描写する；
【００３７】
【図１０】図１０は、細長い、弾性包帯上に永久的に配置され、着用者の腹部領域への用途のために順応した相変化材料を含む、もう１つの実施形態による衣料を描写する；
【００３８】
【図１１−１２】図１１及び１２は、細長い、弾性包帯上に永久的に配置され、着用者の顎への用途のために順応した相変化材料を含む、もう１つの実施形態による衣料の複数の図を描写する；
【００３９】
【図１３】図１３は、着用者の乳房に適合するように順応した相変化材料を含む、もう１つの実施形態を描写する；
【００４０】
【図１４】図１４は、顔面外傷を有する使用者によって要求されるように、例えば、手術後のトリートメント用衣料に組み込まれた相変化材料のもう１つの実施形態の上面図を描写する；
【００４１】
【図１５】図１５は、顔面外傷を有する使用者によって要求されるように、例えば、手術後のトリートメント用衣料に組み込まれた相変化材料の斜視図を描写する；
【００４２】
【図１６（ａ）−１６（ｂ）】図１６（ａ）及び１６（ｂ）は、顔面外傷を有する使用者によって要求されるように、例えば、手術後のトリートメント用衣料に組み込まれた相変化材料のもう１つの実施形態を描写する；図１６（ｂ）は、編まれた外部の層、熱成形可能な樹脂層、及び熱成形可能な樹脂層上に配置された相変化材料を示す、実施形態の断面図をさらに描写する；
【００４３】
【図１７（ａ）−１７（ｂ）】図１７（ａ）及び１７（ｂ）は、顔面外傷を有する使用者によって要求されるように、例えば、手術後のトリートメント用衣料に組み込まれた相変化材料の様々な斜視図を描写する；
【００４４】
【図１８】図１８は、顎又は首の損傷を有する使用者によって要求されるように、例えば、手術後のトリートメント用衣料に組み込まれた相変化材料を含む、衣料を描写する；
【００４５】
【図１９】図１９は、本発明のツーピース（ｔｗｏ−ｐｉｅｃｅ）の実施形態の斜視図である。
【００４６】
【図２０−２１】図２０及び図２１は、熱成形可能な層が生地に接着した層を有する、本発明のもう１つのツーピースの実施形態の斜視図である。
【００４７】
【図２１Ａ】図２１Ａは、図２１に示す実施形態の断面図である。
【００４８】
【図２２−２３】図２２及び図２３は、ストラップ付（ｓｔｒａｐｐｅｄ）生地が熱成形可能な層に接着している、本発明のワンピース（ｏｎｅ−ｐｉｅｃｅ）の実施形態の斜視図である。
【００４９】
【図２３Ａ】図２３Ａは、図２３に示す実施形態の断面図である。
【００５０】
【図２４−２５】図２４及び図２５は、熱成形可能な層が、片面に接着したストラップ付生地の１つの層及び他面に接着したストラップレス（ｓｔｒａｐｌｅｓｓ）生地の１つの層を有する、本発明のワンピースの実施形態の斜視図である。
【００５１】
【図２５Ａ】図２５Ａは、図２５に示す実施形態の断面図である。
【００５２】
【図２６−２７】図２６及び図２７は、熱成形可能な層が、ストラップ付生地に片面で接着し、ストラップレス生地が他面で接着している、本発明のワンピースの実施形態の斜視図である。この実施形態において、化粧用又はセラピー用マスクは、ストラップレス生地の他面に張り付けられる。
【００５３】
【図２７Ａ】図２７Ａは、図２７に示す実施形態の断面図である。
【００５４】
【図２８】図２８は、分解図及びコンポジット形態における化粧用及び傷のトリートメントのための、顔用パックの形状における、熱支援セラピー用補助具を描写する。
【００５５】
【図２９】図２９は、相変化材料を描写する。
【００５６】
【図３０】図３０は、分解図及びコンポジット形態における化粧用及び傷のトリートメントのための、具体的な形状に関係ない、熱支援セラピー用補助具を描写する。
【００５７】
＜好ましい実施態様の詳細な説明＞
以下の説明は、本発明を実施するために現在考えられる最良の態様についてのものである。この説明は、限定的な意味で解釈されるべきではなく、単に本発明の１つ以上の好ましい実施形態を説明する目的のために作成された。本発明の範囲は、特許請求の範囲を参照して決定されるべきである。
【００５８】
ある実施形態において、本発明による熱可塑性エラストマーは、ポリ（スチレン−ブタジエン−スチレン）（ＳＢＳ）、ポリ（スチレン−イソプレン−スチレン）（ＳＩＳ）、又はポリ（スチレン−イソプレン−ブタジエン−スチレン）（ＳＩＢＳ）などの非水素化スチレン系ブロックコポリマー又はポリ（スチレン−エチレン−ブチレン−スチレン）（ＳＥＢＳ）、ポリ（スチレン−エチレン−プロピレン−スチレン）（ＳＥＰＳ）、又はポリ（スチレン−エチレン−エチレン−プロピレンスチレン）（ＳＥＥＰＳ）などの水素化スチレン系ブロックコポリマー、又はこれらの組み合わせであるスチレン系ブロックコポリマーを含む。好ましくは、本発明は、ＳＥＥＰＳを使用するが、適切な伸縮性及び剛性特性を有するいずれかの適切なスチレンブロックコポリマーを使用してもよい。ある態様において、トリブロックコポリマーは、セプトン及びクラトンの商品名をもつものであり、２〜３０重量％の範囲において相変化材料内に含まれ得る。好ましくは、トリブロックコポリマーは、４〜１０重量％の範囲の中で提供される。使用されるトリブロックコポリマーの量は、マトリックス中に使用される特定のポリマー、衣料の温度が低下される場合に所望される剛性の程度、及び使用される特定のＰＣＭに依存する。
【００５９】
ある態様において、開示された相変化材料は、１つ以上の可塑化用オイル；パラフィン系オイル、ナフテン系オイル、植物オイル、又はポリブテン、ポリプロピレン、又はポリテルペンオイルなどの合成液体オリゴマーで作られ、及び／又は含む。ある態様において、オイルは、タルクのような不溶性の微粉末を散布されてもよい。ハイドロブライト１０００などのブランド品も使用できる。オイル又は他の可塑剤は、好ましくは、低温相変化材料とともに使用する場合、約０〜７０重量％の範囲内であり、４０〜６０重量％の好ましい範囲である。あるいは、オイル又は他の可塑剤は、高温相変化材料とともに使用した場合、好ましくは３０〜８０重量％の範囲内、４０〜６０重量％の好ましい範囲である。可塑化用オイルは、好ましくは、非粘着性配合物については５〜２０センチストークスの間の粘度を有し、ストラップの有無にかかわらず、衣料が使用者に接する位置を維持するように一定の粘着性を増進するように意図されたこれらの配合物については５０〜３００センチストークスの間の粘度を有する。
【００６０】
フェノール系酸化防止剤は、イソブチレン化メチルスチレン化フェノール、スチレン化フェノール、様々なｏ−、ｍ−、ｐ−クレゾール（例えば、４，４’チオビス６−（ｔ−ブチル−ｍ−クレゾール）、４，４’−ブチリデンビス−ｂ−（ｔ−ブチル−ｍ−クレゾール））、２，６−ジ−ｔｅｒｔ−ブチル−ｐ−クレゾール、（オクタデカノキシカルボニルエーテル）フェノール、テトラキス−（メチレン−３，５−ジｔｅｒｔブチル−４ヒドロシンナメート）メタン、２，２’−メチレンビス（４−メチル−６−ノニル）フェノール、１，３，５−トリス（３，５−ジ−ｔｅｒｔ−ブチル−４−ヒドロキシベンジル−）−１，３，５−トリアジン−２，４，６（１Ｈ、３Ｈ、５Ｈ）−トリオン、又はこれらのいずれかの組み合わせの少なくとも１つを含んでもよい。抗菌剤は、例えば、銀ゼオライト、リン酸ジルコニウム銀、硝酸銀、チオ硫酸銀、スルファジアジン銀、フシジン酸銀、及び四級アンモニウム化合物（「ＱＡＣ」）の少なくとも１つを含んでもよい。銀系抗菌剤の他のクラス、例えば酢酸銀、臭化銀、炭酸銀、塩素酸銀、塩化銀、クエン酸銀、フッ化銀、ヨウ素酸銀、乳酸銀、硝酸銀、亜硝酸銀、過塩素酸銀又は硫化銀、も同様に使用してもよい。酸化防止剤及び／又は抗菌性添加剤は、０〜１０重量％、好ましくは０〜１重量％の範囲内で加えられてもよい。
【００６１】
別の態様において、上述の添加剤の１種以上を、混合物が融解した後又は冷却プロセス中に混合物に加えてもよい。スチレン系ポリマー、可塑化用オイル、及び１種以上の任意の添加剤の混合物を加熱し混合した後、これらのコンポーネントを均一な溶融混合物が得られるような様式で一緒に溶融する。具体的には、製造方法の１つの方法は、成分を混合し、混合物を３５０°Ｆ〜４５０°Ｆの間の溶融温度にすることを伴う。溶融混合物を得た後、溶融混合物は、押出機によって押出されても、成形機によって成形されても、又は密閉鋳型、開放鋳型、又は他の同様の容器に射出されて所望の形状にされてもよい。最終形成時、成分はゲルマトリックスを形成する。
【００６２】
熱可塑性エラストマー内には相変化材料がある。より低い温度が使用される場合、相変化材料は、低温において固体から液体に相を変化させる脂質又は１種以上のリガンドの組み合わせ又は会合体である。相変化脂質又は材料は、Ｎ−アルケン又はＮ−アルカンのような炭化水素タイプである。適用可能な例は、１−オクテン、１−デセン、１−ドデセン、１−トリデカン、１−テトラデセンなど、又は、シェブロンフィリップス及びイオネスによって市販されているような８から１８の間の範囲にわたる炭素数をもつ直鎖状アルファオレフィンである。ある実施形態において、相変化脂質及び／又は材料は、１４炭素の分子を有し、第１の炭素上の二重結合を利用する、テトラデセンで構成される。さらに、適切な蒸気圧をもち、適切な融点範囲内のいずれかの炭素鎖で十分であることが分かった。さらに、−１０℃〜２５℃の間の、好ましくは０℃〜２０℃の間の相変化温度を有する他の炭化水素、アルコール、エステル又は植物オイルを使用してもよい。記載された相変化材料のいずれも、本明細書に記載されたマトリックス内で一緒に組み合わせて又は個別に使用してもよい、
【００６３】
より高い温度が所望される場合、相変化材料は、４５℃〜６５℃の間の融合温度を有するパラフィン又は直鎖状アルファオレフィンである。適切な例は、シェブロンフィリップス及びイオネスにより市販されている２４から３０の炭素数をもつこれらの直鎖状アルファオレフィン及びこれらの混合物を含む。他の好適な材料は、４５℃から６５℃の間の相変化温度を有する炭化水素、アルコール、エステル、水素化及び非水素化植物オイルを含む。
【００６４】
開示された衣料について、図を参照してさらに詳細に説明する。図１〜７は、内部２３及び外部２１の編まれた生地層の間に配置された熱成形可能な樹脂２２を含有する熱成形可能な組立品２０を含む、第１の実施形態による顔面外傷を有する使用者によって要求されるように、例えば、衣料１０に組み込まれた相変化材料を開示し、熱成形可能な組立品２０は、熱成形可能な樹脂２２の適切な温度に加熱されて、熱成形可能な組立品２０が使用者の顔の輪郭に適合するように形作られ得るように設計される。ある態様において、内部の層２３は任意であり、存在しなくてもよい。この態様において、衣料１０はまた、内部の編まれた生地層２３上に配置されたスチレン系高分子ゲル層３０を含み、又は内部の編まれた生地層２３が存在しない場合、ゲル層３０は、熱成形可能な樹脂２２上に直接配置されてもよい。図２に描かれたように、使用時には、衣料１０のゲルマトリックス層３０を包帯２７上に配置することができ、それは肉及び／又は手術後の部位２８を直接覆う。しかしながら、ある態様において、ゲルマトリックス層３０は、着用者の皮膚／肉に直接接触するように設計される。
【００６５】
ある態様において、内部及び外部の層、編まれた生地層２１、２３は、手術後の、外科的処置に関連する過剰な挫傷、腫脹、及び浮腫の軽減及び／又は予防をさらに相乗的に最大化するように選択される。内部の生地層２１及び外部の生地層２３は、支持のため含まれる一方の層を加えた衣料１０にとって任意である。例えば、これらの編まれた生地層及び生地層に含まれる糸、及び編まれた層の糸に含まれるフィラメントは、ゲルの圧縮性を最大化し、挫傷、腫脹、及び浮腫の軽減及び／又は予防のための手術後のトリートメントをさらに最大化するように選択されてもよい。所望の効果に応じて、内部及び外部の編まれた生地層は同じである、又は代わりに、内部及び外部の編まれた生地層は異なる。例えば、編まれた内部及び外部の層、生地層は、独立して、例えば、非低融点ポリエステル糸、非低ナイロン糸、非低ポリプロピレン糸、非低融点ポリエチレン糸、綿糸、ウール糸、これらのいずれかの組み合わせから作製されてもよく、これらの糸は、マルチフィラメント又はモノフィラメントのいずれであってもよい。ある態様において、内部及び外部の層の編まれた生地層内に含まれる糸は、１１０から１６０デニール、１２０から１５０デニール、１３０から１４５デニール、及び１３５から１４５デニールの範囲にわたる集まりを有するマルチフィラメントである。ある態様において、内部及び外部の生地層のニット生地は、熱成形可能な組立品の耐久性をさらに向上させるのを補助する多方向伸縮性特性を独立して有する、横糸ニット（ｗｅｆｔ  ｋｎｉｔ）である。内部及び外部の生地層のニット生地は、横糸ニットにおいて、６から１２コース／ｃｍ２、より好ましくは８から１０コース／ｃｍ２、及び９から１４ウェール／ｃｍ２、より好ましくは１０から１２ウェール／ｃｍ２を独立して含んでもよい。ある好ましい態様において、内部及び外部の生地層は、独立して、９コース及び１１ウェール／ｃｍ２を含む。ある態様において、内部及び外部生地層のニット生地は、独立して、垂直方向において８０から１４０％、好ましくは１００から１３０％、及び最も好ましくは１１５から１２５％、及び水平方向において６０から１００％、好ましくは７０から９０％、及び最も好ましくは７５から８５％の範囲にわたる弾性を有する。ある態様において、内部の層２１、外部の層２３、及び熱成形可能な樹脂で設計された編まれた主要部（ｂｏｄｙ）は、独立して、ミラノ編みパターン（ｍｉｌａｎｏ  ｋｎｉｔｔｉｎｇ  ｐａｔｔｅｒｎ）、無地のジャージー（ｊｅｒｓｅｙ）編みパターン、インターロック（ｉｎｔｅｒｌｏｃｋ）ジャージー編みパターン、インターロック編みパターン、リブ（ｒｉｂ）編みパターン、ポンテデローマ編みパターン、又はこれらのいずれかの組み合わせを含んでもよい。
【００６６】
熱成形可能な組立品を最初に作製する場合、コポリエステル糸、ポリカプロラクトン糸、又はこれらの組み合わせから作製され、要すればポリエステル繊維を有する編まれた主要部は、内部及び外部の層、生地層の間に位置してもよい。この積み重ね体を層にした後、この積層した積み重ね体を十分な温度に加熱して、コポリエステル糸、ポリカプロラクトン糸、又はこれらの組み合わせから編まれた主要部を溶融させ、これらの層を一緒に接着させる。ある態様において、編まれた主要部が、生地の「窓（ｗｉｎｄｏｗｓ）」を含むコポリエステル糸、ポリカプロラクトン糸、又はこれらの組合せから作製されるため、コポリエステル糸、ポリカプロラクトン糸、又はこれらの組合せの、この編まれた主要部は、窓及び編まれた構造が熱成形可能な組立品の製造コストを下げると同時に、より強い接着を可能し得るため、同じ材料から作製された固体シート（例えば、ラミネート層）よりも好ましいかもしれない。しかしながら、ある代替態様において、熱成形可能な組立品を製造する場合に、熱成形可能な樹脂の固体シートを使用してもよい。さらなる態様において、熱成形可能な組立品は、好ましくは、繰り返し加熱され、使用者の輪郭に再び形作られるように設計される。例えば、鼻形成術（ｒｈｉｎｏｐｌａｓｔｙ）に関して、熱成形可能な組立品は、熱成形可能な樹脂の転移温度まで、又はそれよりわずかに高くまで加熱されて、熱成形可能な組立品が使用者の輪郭に形作られ得ることを確実にしてもよい。熱成形可能な樹脂は、その転移温度（又はそれ以上）まで加熱した後、硬化して硬くなることが重要である。しかしながら、熱成形可能な樹脂が加熱後に、熱成形可能な組立品が壊れやすく、耐久性に欠け、再加熱及び／又は再び形作ることができないように、脆くならないことも重要である。したがって、開示された熱成形可能な組立品は、有利には、繰り返し加熱され、所望の輪郭を有する堅固な構造に再形作られてもよい。
【００６７】
衣料１０は、使用者の頭の周りに固定されて、衣料１０を使用者の顔上の適所に保持するように設計されたストラップ５０、５１を含んでもよく、衣料１０は、ストラップを衣料１０に固定するための面ファスナー（ｈｏｏｋ  ａｎｄ  ｌｏｏｐ  ｆａｓｔｅｎｅｒｓ）４０、４１を含む。ある態様において、フック又はループファスナーをストラップの一端に取り付けてもよく、調和する（ｃｏｍｐｌｉｍｅｎｔａｒｙ）フック又はループファスナーを熱成形可能な組立品２０又はもう１つのストラップ上に取り付けてもよい。例えば、ある態様において、衣料１０は、衣料１０を使用者の顔上の適所に保持するために使用者の頭の周りに固定するように設計された２つのストラップ５０、５１を含む。
【００６８】
衣料１０は、好ましくは、使用者の眼及び鼻梁を覆うように配置するために設計された部分的な顔の衣料であってもよい。この部分的顔用衣料１０のスチレン系ゲルは、所望の温度に加熱及び／又は冷却することができ、使用者の顔に適用及び留められて、例えば、鼻形成術、眼瞼手）、チェックインプランテーション（ｃｈｅｃｋ  ｉｍｐｌａｎｔａｔｉｏｎ）、又はこれらのいずれかの組み合わせに関連する手術後の挫傷、腫脹、及び浮腫をトリートメントする。衣料１０はまた、ケミカルピール及び皮膚切除術のような処置を含む、皮膚科学的な処置及びスパでの顔のトリートメントの後に使用することができる。この衣料１０は、ハイドロゲル系衣料とは異なり、この衣料は均等に分布した圧縮力（例えば、高い弾性率）を提供する能力と組み合わされた低い熱伝導率、高い耐久性及び弾力性を示すので、従来のハイドロゲルの衣料よりも好ましい。さらに、この衣料１０は、有利には、（ｉ）低い熱伝導率、（ｉｉ）高い耐久性及び弾力性、（ｉｉｉ）均等に分布した圧縮力、及び（ｉｖ）手術後のトリートメント用衣料１０によって達成されるカスタマイズ性又は成形性、のいずれかの組み合わせにより、より良好な患者の快適及び全体的な改善された癒しをもたらす。ある態様において、衣料１０は、例えば、衣料１０の周縁に沿って並び、熱成形可能な組立品の１つ以上の層を隠す生地又は生地層をさらに含む。例えば、ある態様において、生地又は生地層は、熱成形可能な組立品が着用者又はもう一人の観察者に見えないように完全に衣料１０の周縁に沿って並び、熱成形可能な組立品を完全に隠す。ある態様において、衣料１０は、生地又は生地層が衣料１０の周縁部に沿って並んでいるとき場合に、より審美的に心地よい。
【００６９】
もう１つの実施形態において及び図８、９（ａ）、及び９（ｂ）にさらに示されるように、衣料は、顎、鼻、頬、額、及び耳を含む着用者の顔に適合し、覆うために形作られたスチレン系ゲルから作製された衣料２１０を含む手術後の顔用衣料２００を含んでもよく、衣料は、着用者の眼２２０、鼻２２０、口２２４、及び要すれば顎２２６に開口部を有し；及び、額の周囲及び顎の下を留めて衣料を適所に固定するように設計されたストラップ２３０を有する。例えば、この手術後の顔用衣料２００は、顎、鼻、頬、額、及び耳を含む着用者の顔に適合し、覆うスチレン系ゲルから構成されていてもよいし、スチレン系ゲルのみから構成されていてもよく、衣料は、着用者の眼、鼻、及び口に開口部及び額の周り及び顎の下を留めて、衣料を適所に固定するように設計されたストラップ２３０を有する。ある態様において、ストラップは、ストラップの両端上に調和するフック及びルックファスナー２４０、２４１を含む。ストラップの一端は、分岐したストラップの部分２５１が使用者の顎に巻き付くように分岐されてもよく、一方、分岐ストラップの他の部分２５２は、衣料がストラップとともに使用者にしっかりと留められるような様式において使用者の頭に巻き付くように設計される。ある態様において、ストラップは、しっかりと衣料を着用者に留める場合に、伸縮して圧縮力を負荷するように設計された弾性ストラップである。図に８、９（ａ）、及び９（ｂ）示すように、ストラップ２３０は、例えば、ゲルの最も外部の表面上に取り付けられてもよく、又はある態様において、ストラップ２３０はゲル内に配置されてもよい。
【００７０】
図１４及び１５にさらに示されるように、ある態様において、衣料６３０のさらなる実施形態は、様々な代替の形状及び構成を有してもよい。例えば、衣料６３０は、両端部６５１、６５２、６６１、６６２において分岐したストラップであってもよい。これらの分岐した端部６５１、６５２、６６１、６６２は、相補的なフック６４０及びループ６４１ファスナーをさらに含んでもよい。図１４及び１５にさらに示されるように、衣料６３０は、着用者の鼻、眼、口、及びこれらの組み合わせのいずれにも接触及び／又は妨害しないで、ストラップの部分６７１、６７２が着用者の顎及び額にそれぞれ同時に巻き付くように設計されるような、ストラップ６３０の長さに沿った中間スパンに位置するホール（ｈｏｌｅ）６７０を含んでもよい。図１４及び１５に描かれた衣料はまた、ストラップ６３０に取り外し可能又は永久的に取り付けられるスチレン系ゲル衣料６００を含んでもよい。ある態様において、スチレン系ゲル衣料６００及びストラップ６３０は、互いに永久的に取り付けられていない２つの別々のコンポーネントである。この態様において、スチレン系ゲル衣料６００は、衣料６００を、例えば着用者の顔の上に置くことができるように、さらに、アイホール（ｅｙｅｈｏｌｅ）６１０、ノーズホール（ｎｏｓｅｈｏｌｅ）６１１、及びマウス（ｍｏｕｔｈ）ホール６１２を含んでもよく、次いで、ホールを含むストラップ６３０がスチレン系ゲル衣料を覆うように配置して、衣料を着用者に固定することができる。例えば、ストラップ６３０は、ホール６７０の周りのストラップの部分６７２、６７１が、スチレン系ゲルの額及び顎部それぞれを着用者に固定するように、着用者の上に配置されてもよく、その後、ストラップは、分岐端６５１、６５２、６６１、６６２上に配置された面ファスナーによって留められてもよい。注目すべきことに、衣料６３０は、本明細書に記載される所望のセラピー作用を遂行するために生地層を必要としない。
【００７１】
図１６（ａ）、１６（ｂ）、１７（ａ）、及び１７（ｂ）は、上述の熱成形可能な組立品が、細長いストラップ７１０上又はその中に含まれ、圧縮を負荷するように設計される衣料７００の別の実施形態を描写する。ストラップ７１０は、好ましくは着用者の頭の部分（例えば、完全に着用者の頭の周り）にわたって伸縮するのに十分な弾性を含み、好ましくは、細長いストラップ７１０の全幅にまたがるストラップの両端に配置された面ファスナー７４０、７５０を含む。面ファスナーの幅と組み合わされた細長いストラップ７１０の弾性は、上述した特徴を有する弾性及び／又は面ファスナーを欠く他の従来の設計と比較した場合、最大の圧縮を同時に確実にしながら圧縮衣料を着用者の頭に適切に固定することを可能にする。また、この態様において、この衣料７００は、上に開示されたような外部の編まれた生地層７１０（すなわち、細長いストラップの一部又は細長いストラップ全体）、上に開示されたような任意の熱成形可能な樹脂７２０、及び熱成形可能な樹脂７２０の上に着脱可能に配置されるか又は永久的に直接に配置されるかどちらか一方の上に開示されたようなゲルマトリックス層７３０と、を含む。ある態様において、この衣料７００は、アイホール７６０、ノーズホール７６１、マウスホール７６２、及び要すればイヤーホール（ｅａｒｈｏｌｅｓ）７６３を含む。この衣料のスチレン系ゲル７３０は、着用者の頬、顎及び額の部分を覆うように順応されてもよく、いくつかの態様において、この衣料のゲルマトリックス層７３０は、着用者の耳の周りの部分的又は完全のどちらか一方で直接隣接する着用者の頭の部分をさらに実質的に覆うように順応されてもよい。同様に、熱成形可能な樹脂７２０は、着用者の頬、顎、及び額の部分を覆うように順応されてもよく、ある態様において、この衣料のスチレン系ゲルは、着用者の耳の周りの部分的又は完全のどちらか一方で直接隣接する着用者の頭の部分をさらに実質的に覆うように順応される。この衣料を使用する圧迫療法の結果を最大にするために、衣料は、上記のように最初に加熱され（例えば、熱成形可能な樹脂の転移温度まで）、着用者の顔の輪郭に形作られてもよい。この衣料を着用者の顔の輪郭に形作られた後、衣料を硬化させて堅固な形状の構造を達成し、その後、面ファスナーを使用して着用者の顔に固定することが可能になり得る。冷湿布療法又は温熱療法がさらに望まれる場合には、形作られた衣料は十分な温度まで冷却又は加熱されてもよく、冷却又は加熱された衣料はその後着用者の顔に固定されてもよい。図１６（ｂ）は、ゲルマトリックス層７３０が、肉及び／又は手術後の部位７２８を直接覆う、包帯７２７上に配置される、使用中の衣料７００を描写する。
【００７２】
本明細書に開示された衣料は、広い用途の種類を有する多くの異なる形状及び実施形態をさらに含んでもよい。例えば、これらの衣料は、限定されるものではないが、脂肪吸引法及び顎（例えば、顎のインプラント）、首（例えば、ネックリフト）などを伴う外科的処置を含む、特定の身体部分及び特定の外科的処置のために順応されてもよい。図１０に示すように、衣料３００のもう１つの実施形態は、細長い弾性包帯３２０上に永久的に配置され、外科手術後の圧迫及び／又は温熱療法及び／又は冷湿布療法を適用するために使用されるゲルマトリックス３１０を含んでもよい。この態様において、（示されていない）フックファスナーは、細長い、弾性包帯の一端に取り付けられてもよく、細長い弾性包帯のもう１つの部分に直接留められてもよい。あるいは、細長い、弾性包帯は、この衣料が着用者に確実に留められ得るように、細長い、弾性包帯の両端上に配置された相補的な（示されていない）面ファスナーを含んでもよい。図１１及び１２にさらに示されるように、衣料４００のもう１つの実施形態は、細長い、弾性包帯４２０上に永久的に配置され、顎、首、又これらの組み合わせに使用するために順応したゲルマトリックス４１０を含んでもよい。この態様において、図１１及び１２は、例えば、顎補強（ｐｏｓｔ−ｃｈｉｎ  ａｕｇｍｅｎｔａｔｉｏｎ）適用後において有用な衣料４００を特に描写する。図１１及び１２に描かれた衣料は、ゲルの弓形部分４３０及び、着用者の顎の一部又は実質的に全てを覆うように順応した細長い、弾性包帯を含んでもよい。
【００７３】
図１８に示されるように、ある実施形態において、首（例えば、ネックリフト、ネックリフト及び顎補強など）を伴う手術処置後の強固な首及び顎の支持を提供するために、実質的な強度及び十分な幅を有する衣料８００を提供することが有利である。この態様において、衣料８００は衣料４００と非常に類似している。例えば、衣料８００は、細長い、弾性包帯８３０上に配置されたゲルマトリックス層８２０を含む。衣料８００は、衣料８００の対向する端部上に配置された調和する面ファスナー８４０、８５０をさらに含む。しかしながら、衣料８００は、着用者の耳が、衣料８００を着用した場合に突き出してもよいイヤーホール８１０、８１５をさらに含む。衣料８００は、手術後の首の処置後に着用者の首に強固な支持を提供する。さらに、イヤーホール８１０、８１５の間に配置された衣料の部分８６０は、（ｉ）イヤーホール８１０及びフック又はループファスナー８４０の間に拡張する衣料の部分、及び（ｉｉ）イヤーホール８１５及びフック又はループファスナー８４０の間に拡張する衣料の部分よりもより広い幅を有する。換言すれば、イヤーホール８１０とフック又はループファスナー８４０の間に拡張する衣料の部分及び、イヤーホール８１５とフック又はループファスナー８４０の間に拡張する衣料の部分は、イヤーホール８１０、８１５の間に配置された衣料８６０の幅に対して先細りになる。これらのイヤーホール８１０、８１５及び先細りになった特徴は、外科的処置後の首及び／又は顎の癒しをさらに補助し、促進する着用者の首の強固な支持を提供するために特に好ましい場合がある。
【００７４】
図１３に示されるように、もう１つの実施形態において、乳房カップ５００は、乳房増大、乳房再建、乳房縮小、又はこれらの組み合わせを含むが、これらに限定されない外科的処置後に、乳房に適合し、覆うように順応したスチレン系ポリマーゲルを含む。この態様において、スチレン系ポリマーゲルは、乳房の一般的な形状及び周囲を有するように形成（例えば、射出成形）されてもよい。このポリマーゲルマトリックスを使用者の乳房を覆うように配置した後、このゲルは、着用者の乳房に巻き付けられる細長い、弾性包帯を用いて着用者にさらに固定されてもよい。この態様において、スチレン系ポリマーゲルは、さらに０．１インチ〜０．５インチ、０．１５インチ〜０．３インチの厚さを含んでもよく、この厚さは、有利には、外科的処置に関連する手術後の過度の挫傷、腫脹、及び浮腫の最大の軽減及び／又は予防を確実にし、温熱療法及び冷湿布療法の有益な効果をさらに、補助する。ある態様において、乳房カップ５００は、上に開示された細長い、弾性ストラップのいずれかなどの少なくとも１つの細長い、弾性ストラップをさらに含むキット内にパッケージされるか、又は含まれ、ストラップは、手術部位における挫傷、腫脹、及び／又は浮腫を潜在的に低減するために十分な圧力を負荷する加える一方で、着用者の乳房上に乳房カップ５００を保持するように設計される。
【００７５】
図１９に示されるように、衣料９００のもう１つの実施形態はまた、エチル酢酸ビニル（ＥＶＡ）又はポリカプロラクトン（ＰＣＬ）などのポリマー、又は６０℃又はそれ未満において熱成形可能ないずれかの混合物から構成される熱成形可能なリテーナー層９１０を含んでもよい。この低温は、衣料を使用者の皮膚の領域上に直接適合させることを可能にするため望ましい。適切な温度に加熱された後、熱成形可能なリテーナー層９１０は、使用者の顔に適用され、様々な輪郭に押し込まれ、堅固になるまで冷却することを可能にし、それによって、適用された幾何学が維持される。
【００７６】
熱成形可能な層が冷却された後、ＰＣＭ層９２０が、使用者の皮膚に接触する熱成形可能な層の内部表面に適用される。マスク又は他のセラピー器具９２０は、少なくとも１つのアイホール９３０及び少なくとも１つのマウスホール９４０を有する。この構成は、化粧用又はセラピー用マスクから使用者の顔への最大量の接触を可能にする。ストラップ付生地９５０は、その後適用され、成形可能な層を使用者の顔に保持するために使用される。ストラップ付生地は、それぞれがファスナー９５８を有することが好ましく有する（ｈａｖｉｎｇ  ｐｒｅｆｅｒａｂｌｅ  ｈａｖｉｎｇ）、第１の端部９６０及び第２の端部９８０を有する。フック及びループ、ボタン、及び他の既知の固定手段などのファスナーを使用することができる。また、ストラップ付生地９５０は、少なくとも１つのアイホール９３０及び少なくとも１つのマウスホール９４０を有する。
【００７７】
図２０に示されるのは、ストラップレス生地９９０の層がリテーナー組立品に含まれる、本発明のもう１つの実施形態の分解立体図である。図２１に示すように、熱成形可能なリテーナー層９１０は、コンポジットを形成する衣料９００の部分組立品９９２としてストラップレス生地９９０の層に接着されている。熱成形可能な層９１０はまた、少なくとも１つのアイホール９３０及び少なくとも１つのマウスホール９４０を有する。図２１Ａに示すように、ストラップレス生地９９０は、熱成形可能なリテーナー層９１０に接着され、そこの間の化粧用又はセラピー用マスクとともに使用者の顔に対して露出される。使用者は、まずＰＣＭ層９２０の皮膚に密着する面９９４を使用者の顔に置き、次に加熱された部分組立品９９２をＰＣＭ層９２０の背面９９６上に置く。ストラップ付生地９５０の内側の面９９８は、次いで、熱成形可能なリテーナー層９１０の上部上に配置され、次いで、ストラップ９１２を使用して適所に結び付けられる。
【００７８】
図２２及び図２３に示されるのは、熱成形可能なリテーナー層９１０が、部分組立品９５２としてストラップ付生地９５０に接着されている、本発明のもう１つの実施形態である。熱成形可能なリテーナー層９１０は、図２３Ａに見られるように、使用者の顔に対して露出したままである。ＰＣＭ層９２０は、熱成形可能な層及び次に使用者の顔に適用される。
【００７９】
図２４及び図２５に示されるのは、熱成形可能なリテーナー層９１０が、片面がストラップ付生地９５０に、他面が部分組立品９５４としてストラップレス生地９９０に接着される、本発明のもう１つの実施形態である。ストラップレス生地９９０、熱成形可能なリテーナー層９１０、及びストラップ付生地９５０を含む３つのコンポーネントリテーナー組立品は、熱成形可能なリテーナー層９１０の転移温度まで加熱され、次いで、適切な幾何学的な輪郭が達成されるまで、使用者の顔に押し付けられる。その後、ＰＣＭ層９２０がリテーナー組立品及び使用者の顔に適用される。
【００８０】
図２６及び図２７に示すのは、熱成形可能なリテーナー層９１０の片面がストラップ付生地９５０に、他方の側が部分組立品９５６としてストラップレス生地９９０に、接着される本発明のもう１つの実施形態である。この実施形態において、ＰＣＭ層９２０は、ストラップレス生地の残りの表面に粘着、接着、又は留められてもよい。熱成形可能な材料の転移温度まで加熱した後、リテーナー組立品を使用者の顔の輪郭を形成するために使用者の顔に押し付ける。
【００８１】
層の間の接着は、一般に、熱成形可能な層をその荷重たわみ温度を超えて加熱し、コンポジット材料を作製することが望ましい層上に層を押し付けることによって達成される。層を、層上に液化ポリマーを射出又は鋳造することによって、コンポジットにしてもよい。本発明の様々な層を一緒に接着するために同様の技術を使用することができるということは、当業者によって理解されるべきである。
【００８２】
図２８は、衣料１０００の３つの層の実施形態を示す。これらの実施形態は、図１９〜２７Ａに記載されるリテーナーを使用しても使用しなくてもよい。衣料１０００は、最大３つの層で構成され、１つは、透過性層１０１０であり、それはＰＣＭ層１０２０に対して相対的に配置され、任意の固定している生地層１０３０に対して相対的に配置することができる。これらの３つの層は、使用者の要求に応じて交換できるように配置してもよい。さらに、使用者の要求に応じて多数の各層を使用してもよい。例えば、使用者がより多くのセラピー用薬品を損傷領域に移送する必要がある場合には、１を超える透過性層１０１０が必要とされてもよい。
【００８３】
図２９は、ＰＣＭ層１０２０を示し、それは、生地層１０３０上に配置されていてもいなくてもよいし、取り付けられていてもいなくてもよい。
【００８４】
図３０は、特定の形状ではない衣料１０４０を描くことを意図した衣料１０４０の最大３つの層の実施形態を示す。衣料１０４０は、マスク、長方形、正方形、又は表面上に配置することを可能にするいずれかの他の形状のようないずれかの形状で有り得る。衣料１０４０は、最大３つの層で構成され、１つは透過性層１０５０であり、それは、ＰＣＭ層１０６０に対して相対的に配置され、その後、固定している生地層１０７０対して相対的に配置される。これらの３つの層は、使用者の要求に応じて交換できるように位置してもよい。さらに、上に記したように、使用者の要求に応じて、多数の各層を使用してもよい。例えば、使用者がより多くのセラピー用薬品を損傷領域に移送する必要がある場合には、１を超える透過性層１０５０が必要とされ得る。
【００８５】
ポリマーゲル層３０（又は実施形態に応じたゲルマトリックス層７３０又はＰＣＭ層９２０）はまた、反射フラグメントの複数を含むことができる。これらの反射フラグメントは、好ましくは、ポリマーゲル層３０全体にわたって均一に分布する。これらのフラグメントは、グリッター（ｇｌｉｔｔｅｒ）又は光を反射する同様の材料を好ましくは含有する。これらのフラグメントの平均粒径は、好ましくは２００〜７００μｍの間である。
【００８６】
衣料１０４０は、それに接着したゲルを用いて作製される場合、最終生成物を得るために必要な工程が少ないように製造することができる。まず、所望の生地のタイプをアルミニウム基板の周囲に配置するが、基板はいずれかの同様に強度のある金属であってもよい。次に、鋳型を生地上に配置する。加熱されたゲルは、鋳型によって取り囲まれた生地の部分上に分配される。その後、ゲルを残して硬化させる。この硬化プロセスは、一般に、分配されるゲルの厚さに依存して０．５〜５分かかる。ゲルの硬化が完了したら、生地及びゲル生成物をプラスチック基材の周囲に配置する。このプラスチック基材は、その上にゲルを有する生地の部分及びゲルを有しない部分の間にあり、マウスホール、アイホールなどのような特徴が望まれる場合には、生地の片面のみがダイカットされる。
【００８７】
ある実施形態において、本発明は、使用者と接触する目的のために使用される生地、構造、衣料、又はいずれかの同等物の内部又は上に配置されるように設計されてもよい。生地、構造、衣料、又はいずれかの同等物は、ストラップ、紐、ベルクロ（登録商標）、磁石、リベット、又はいずれかの同等の固定手段のような面ファスナーの方法によって使用者に固定されてもよい。また、固定手段は、バッグ、タオル、紙布、又はいずれかの同等物などのもう１つの材料内に材料を位置することを可能にする技術を含んでもよく、これらは、次いで、使用者にまとめて固定されるか、又は導入される。例えば、使用者は、本材料を湿ったタオルの中に置き、それが彼女の足の上に載せるように置かれてもよい。さらに、開示された本発明の固定は、特に材料が使用者の幾何学又は寸法に適合するように設計される場合には、そのような固定手段なしで達成されてもよい。
【００８８】
ある実施形態において、本発明は、使用者の顔、頭、首、上半身又は下半身、足、脚、又は腕、又はこれらのいずれかの組み合わせを形成するように設計してもよい。本発明を使用するための使用者の特定の要求は、その幾何学的形状を規定する。
【００８９】
本開示は、添付された特許請求の範囲に含まれるもの、並びに上記記載のものを含む。本発明は、ある程度の特定性をもつ好ましい形態で説明されてきたが、好ましい形態の本開示は、例示方法のみによりなされたものであり、本発明の精神及び範囲から逸脱することなく、構成の詳細及び部品の組合せ及び配置における多くの変更に頼ってもよいことが理解される。
【図１】
2021521906.tif 000003
【図２】
2021521906.tif 000004
【図３】
2021521906.tif 000005
【図４】
2021521906.tif 000006
【図５】
2021521906.tif 000007
【図６】
2021521906.tif 000008
【図７】
2021521906.tif 000009
【図８】
2021521906.tif 000010
【図９（ａ）】
2021521906.tif 000011
【図９（ｂ）】
2021521906.tif 000012
【図１０】
2021521906.tif 000013
【図１１】
2021521906.tif 000014
【図１２】
2021521906.tif 000015
【図１３】
2021521906.tif 000016
【図１４】
2021521906.tif 000017
【図１５】
2021521906.tif 000018
【図１６（ａ）】
2021521906.tif 000019
【図１６（ｂ）】
2021521906.tif 000020
【図１７（ａ）】
2021521906.tif 000021
【図１７（ｂ）】
2021521906.tif 000022
【図１８】
2021521906.tif 000023
【図１９】
2021521906.tif 000024
【図２０】
2021521906.tif 000025
【図２１】
2021521906.tif 000026
【図２１Ａ】
2021521906.tif 000027
【図２２】
2021521906.tif 000028
【図２３】
2021521906.tif 000029
【図２３Ａ】
2021521906.tif 000030
【図２４】
2021521906.tif 000031
【図２５】
2021521906.tif 000032
【図２５Ａ】
2021521906.tif 000033
【図２６】
2021521906.tif 000034
【図２７】
2021521906.tif 000035
【図２７Ａ】
2021521906.tif 000036
【図２８】
2021521906.tif 000037
【図２９】
2021521906.tif 000038
【図３０】
2021521906.tif 000039
【国際調査報告】
2021521906.tif 000040
2021521906.tif 000041
2021521906.tif 000042